(57)【特許請求の範囲】
【請求項１】
遊技機の裏側に設けられる部品取付体と、部品取付体の裏側に摺動して取付けられる第３ケースと、部品取付体及び第３ケースに設けられた摺動方向に係合する摺動可能係合部と、上記摺動方向と交差する方向で嵌合するように部品取付体及び第３ケースに設けられた摺動不能係合部と、第３ケースの裏側に配置される第２ケースと、第２ケースの裏側に配置さる第１ケースとを備え、第１ケースと第２ケースとが互いに組み合わせられて収納部品の収納される内部空間を形成し、第２ケース及び第３ケースには上記部品取付体と第３ケースとの摺動方向と交差する方向に係合する第２ケース側係合部と第３ケース側係合部とが設けられ、第１ケースには固定ねじの格納された固定ブロックが設けられ、第３ケースには固定ブロックが設けられ、上記第２ケース側係合部と第３ケース側係合部とが係合されて、上記第１ケースの固定ブロックと上記第３ケースの固定ブロックとが前後方向で対向した状態において、上記固定ねじが第１ケースの外側より工具で操作されることによって第３ケースの固定ブロックに締結されたことを特徴とする遊技機。
【請求項２】
遊技機の裏側に設けられる部品取付体と、部品取付体の裏側に摺動して取付けられる第３ケースと、部品取付体及び第３ケースに設けられた摺動方向に係合する摺動可能係合部と、上記摺動方向と交差する方向で嵌合するように部品取付体及び第３ケースに設けられた摺動不能係合部と、第３ケースの裏側に配置される第２ケースと、第２ケースの裏側に配置される第１ケースとを備え、第１ケースと第２ケースとが互いに組み合わせられて収納部品の収納される内部空間を形成し、この内部空間を形成した第１ケースと第２ケースとからなるケース及び第３ケースには上記部品取付体と上記ケースとの摺動方向と交差する方向に係合するケース側係合部が設けられ、上記摺動不能係合部の係合を解除するための係合レバーが色彩を有したことを特徴とする遊技機。
【請求項３】
遊技機の裏側に設けられる部品取付体と、部品取付体の裏側に摺動して取付けられる収納部品を格納したケース体と、部品取付体及びケース体に設けられた摺動方向に係合する摺動可能係合部と、部品取付体及び摺動方向と交差する方向で嵌合するようにケース体に設けられた摺動不能係合部とを備えた遊技機において、部品取付体が遊技機の裏側に取り付けられる部品取付体基部と部品取付体基部の側部に取り付けられる部品取付体ピースとで構成され、部品取付体ピースには部品取付体ピースと部品取付体基部の側部とで囲まれた隙間に挿入された配線を当該隙間より側方に抜け出ないように配線を支持する配線押え部が設けられたことを特徴とする遊技機。
【発明の詳細な説明】
【０００１】
【発明の属する技術分野】
本発明は、遊技機、特に遊技機の裏側に設けられる部品取付体とそれに取付けられるケース体との取付構造に関する。
【０００２】
【従来の技術】
図４は従来のパチンコ機における部品取付体２とケース体４との取付構造であって、ａ図は側面を示し、ｂ図はａ図を矢印Ａ方向から見た正面を示す。図４において、１は遊技機枠体の裏側又は遊技盤の裏側というように遊技機裏面、２は遊技機裏面１にねじ等で取付けられた部品取付体、３は部品取付体２の裏面に取付けられたガイドレール、４はケース体、５はケース体４に格納された制御基板又は他部品等の収納部品、６はケース体４の表面に設けられたスライダである。ガイドレール３とスライダ６とが部品取付体２とケース体４とを関係付けるガイド部７を構成する。そして、部品取付体２にケース体４を取付ける場合、作業者がケース体４を手で持ち、スライダ６の一端をガイドレール３の一端に嵌め込んで図ｂに矢印Ｂ方向で示すようにガイドレール３の他端に摺動させる。
【０００３】
【発明が解決しようとする課題】
しかし、前記従来例は、部品取付体２とケース体４とが一方に設けられたガイドレール３と他方に設けられたスライダ６との摺接係合（摺動を伴う嵌合）で取付けられる構造であるため、取付後のケース体４の振動を抑制する観点から、図４のｂ図に矢印Ｂで示す摺動方向にガイド部７を長寸法に形成すると、ガイドレール３とスライダ６との摺り合わせ距離が長くなってしまい、スライダ６の軽やかな移動の観点から、ガイドレール３とスライダ６との嵌め合い隙間を大きくすると、がたが大きくなってしまう。又、ケース体４のスライダ６が部品取付体２のガイドレール３に摺接係合した状態において、図外のかんぬき状の摺動不能係合部により１ヶ所でケース体４が摺動不能に係止されるが、ガイドレール３とスライダ６とのがたは相変わらず存在するため、ケース体４は上下方向と前後方向及び１ヶ所の摺動不能係合部周りにがたの分だけ動く余地があり、取付後のケース体４に振動が発生し易くなってしまう。この振動が発生すると、ケース体４に格納された収納部品５は振れを発生するばかりでなく、衝撃も受けることとなり、製品寿命が短く、品質信頼性に欠けることは否めない。
【０００４】
そこで、本発明は、部品取付体にケース体を摺動に対して位置決め固定することにより、取付後のケース体のがたつきを防止することができる遊技機を提供するものである。
【０００５】
【課題を解決するための手段】
１つの本発明に係る遊技機は、遊技機の裏側に設けられる部品取付体と、部品取付体の裏側に摺動して取付けられる第３ケースと、部品取付体及び第３ケースに設けられた摺動方向に係合する摺動可能係合部と、上記摺動方向と交差する方向で嵌合するように部品取付体及び第３ケースに設けられた摺動不能係合部と、第３ケースの裏側に配置される第２ケースと、第２ケースの裏側に配置さる第１ケースとを備え、第１ケースと第２ケースとが互いに組み合わせられて収納部品の収納される内部空間を形成し、第２ケース及び第３ケースには上記部品取付体と第３ケースとの摺動方向と交差する方向に係合する第２ケース側係合部と第３ケース側係合部とが設けられ、第１ケースには固定ねじの格納された固定ブロックが設けられ、第３ケースには固定ブロックが設けられ、上記第２ケース側係合部と第３ケース側係合部とが係合されて、上記第１ケースの固定ブロックと上記第３ケースの固定ブロックとが前後方向で対向した状態において、上記固定ねじが第１ケースの外側より工具で操作されることによって第３ケースの固定ブロックに締結されたことを特徴とする。この１つの本発明によれば、第３ケースを部品取付体に摺動して取付ける過程において、摺動可能係合部が摺動方向で嵌合することにより第３ケースが部品取付体より裏側に取外せないように第３ケースの取外しを規制し、摺動不能係合部が上記摺動方向と交差する方向で嵌合することにより第３ケースが摺動方向への移動を規制されて部品取付体への摺動に対して位置決め固定され、取付後の第３ケースのがたつきを防止することができ、摺動可能係合部を形成するための開口が、収納部品の収納される内部空間を形成する第１ケースと第２ケースとからなるケースから除去でき、第１ケースと第２ケースとからなる内部空間を形成するケースが第３ケースに取り付けられ、固定ねじが第１ケースの外側より工具で操作されることによって第３ケースの固定ブロックに締結された状態において、第１ケースの固定ブロックと第３ケースの固定ブロックとに対する固定ねじによる締結が解除されることによって、第３ケースが部品取付体に取り付けられたまま、第１ケースと第２ケースとからなる内部空間を形成するケースを第３ケースからとり外すことができ、上記固定ねじによる締結を解除しないで、第１ケースと第２ケースとからなる内部空間を形成するケースの取り付けられた第３ケースを部品取付体から取り外すことができる。もう１つの本発明に係る遊技機は、遊技機の裏側に設けられる部品取付体と、部品取付体の裏側に摺動して取付けられる第３ケースと、部品取付体及び第３ケースに設けられた摺動方向に係合する摺動可能係合部と、上記摺動方向と交差する方向で嵌合するように部品取付体及び第３ケースに設けられた摺動不能係合部と、第３ケースの裏側に配置される第２ケースと、第２ケースの裏側に配置される第１ケースと備え、第１ケースと第２ケースとが互いに組み合わせられて収納部品の収納される内部空間を形成し、この内部空間を形成した第１ケースと第２ケースとからなるケース及び第３ケースには上記部品取付体と上記ケースとの摺動方向と交差する方向に係合するケース側係合部が設けられ、上記摺動不能係合部の係合を解除するための係合レバーが色彩を有したことを特徴とする。このもう１つの本発明によれば、摺動可能係合部を形成するための開口が、収納部品の収納される内部空間を形成する第１ケースと第２ケースとからなるケースから除去でき、係合レバーが色彩を有しているので、作業者が摺動不能係合部の取外操作部である係合レバーを適切かつ容易に認識することができる。更なるもう１つの本発明に係る遊技機は、遊技機の裏側に設けられる部品取付体と、部品取付体の裏側に摺動して取付けられる収納部品を格納したケース体と、部品取付体及びケース体に設けられた摺動方向に係合する摺動可能係合部と、部品取付体及び摺動方向と交差する方向で嵌合するようにケース体に設けられた摺動不能係合部とを備えた遊技機において、部品取付体が遊技機の裏側に取り付けられる部品取付体基部と部品取付体基部の側部に取り付けられる部品取付体ピースとで構成され、部品取付体ピースには部品取付体ピースと部品取付体基部の側部とで囲まれた隙間に挿入された配線を当該隙間より側方に抜け出ないように配線を支持する配線押え部が設けられたことを特徴とする。この更なるもう１つの本発明に係る遊技機によれば、配線押え部が部品取付体の周りにおける配線を部品取付体ピースと部品取付体基部の側部とで囲まれた隙間から側方に抜け出ないように支持するので、当該配線がケース体と部品取付体との間に挟まれることがなく、取付後のケース体のがたつきを防止することができる。
【０００６】
【発明の実施の形態】
図１〜図３は本発明の一実施形態であって、図１は部品取付体及びケース体を分解し背面より示し、図２はケース体の裏面を示し、図３はパチンコ機の背面を示す。
【０００７】
図３を参照し、パチンコ機の裏機構について説明する。１０はパチンコ店の島に取付けられる額縁状の遊技機枠体、１１は遊技盤、１２は上タンク、１３は下タンク、１４は球払出機構、１５は図柄制御装置、１６は表示灯制御装置、１７は効果音制御装置、１８は主制御装置、１９は電源装置、２０は球払出制御装置、２１は球誘導ユニット、２２は部品取付体、２３は発射制御装置である。遊技機枠体１０は裏側に上タンク１２、下タンク１３、球払出機構１４、電源装置１９、球払出制御装置２０、球誘導ユニット２１及び発射制御装置２３を備える。遊技盤１１は裏側に図柄制御装置１５と表示灯制御装置１６と効果音制御装置１７及び主制御装置１８を備える。主制御装置１８は部品取付体２２を介して遊技盤１１の裏面に取付けられる。そして、図柄制御装置１５と表示灯制御装置１６と効果音制御装置１７と主制御装置１８及び部品取付体２２を備えた遊技盤１１が、上タンク１２や下タンク１３と球払出機構１４及び電源装置１９並びに球払出制御装置２０更に球誘導ユニット２１加えて発射制御装置２３を備えた遊技機枠体１０に取付けられる。
【０００８】
主制御装置１８は遊技盤１１に設けられた図外の入賞口装置に入賞した球を検出する球入賞検出器からの球検出信号を入力する毎に当該球検出信号に対応する賞球払出指示に相当するコマンドを球払出制御装置２０に出力する一方、上記球の入賞した入賞口装置が図柄始動口である場合には上記入賞検出信号に起因する処理としては賞球払出指示の他に図柄合せ遊技開始指示に相当するコマンドを図柄制御装置１５に出力する。
【０００９】
主制御装置１８は、ＣＰＵがＲＯＭに設定されたプログラムに基づき、ＲＡＭを処理過程の記憶手段として入力処理・エラー処理・図柄制御処理・賞球制御処理・外部情報処理等の遊技全般の遊技処理を所定周期で繰返す。図柄制御装置１５、表示灯制御装置１６、球払出制御装置２０、発射制御装置２３も内蔵されたボードマイコンのＣＰＵがＲＡＭを一時記憶装置として使用しながら、ＲＯＭに書込まれたプログラムに従う処理を実行する。効果音制御装置１７は音ＩＣ等の半導体装置を用いた音出力処理を実行する。
【００１０】
図１を参照し、部品取付体２２とケース体５０との取付構造の例として、遊技盤に取付けられた部品取付体２２と図３の主制御装置１８を収納したケース体５０との取付構造について説明する。部品取付体２２は部品取付体基部３０と部品取付体ピース３１とで構成される。部品取付体基部３０は、ＡＢＳ（アクリルニトリルブタジエンスチレン共重合）樹脂のような合成樹脂からなる前方及び上方開放の箱型の部品であって、裏面に上部左右の部品取付体側フック部３２、下部の部品取付体側フック部３３、係合レバー３４、ガイド溝３５を備え、側部の段差部に複数の配線台３６を備える。上部左右の部品取付体側フック部３２は部品取付体基部３０の裏面に形成された開口部３７の下縁及び右側縁に連なりつつ裏側に突出される。開口部３７の上縁には上部左右の部品取付体側フック部３２の上縁と所定間隔を持つリブ３８が突出される。下部の部品取付体側フック部３３は部品取付体基部３０に設けられた開口部３９の右側縁に連なるように裏側に突出される。係合レバー３４は左端が部品取付体基部３０の裏面に連接されかつ周囲に形成されたスリットで部品取付体基部３０より分離した片持ち状であって、後述する取外操作に際する視認性向上のために２色成型法による有色又は色付けによる色彩を有する。係合レバー３４の中間部３４ｃには前後方向への貫通孔である係合孔部４０を備える。ガイド溝３５は部品取付体基部３０の裏面より前側に窪み横方向に延びる。
【００１１】
部品取付体基部３０に皿頭部を有するタッピングねじのような止ねじで固定された部品取付体ピース３１はＰＣ（ポリカーボネート）樹脂のような合成樹脂からなる板状の部品であって、複数の配線押え部４１及びピース側係合部４２を備える。配線押え部４１は部品取付体ピース３１に対峙する部品取付体２２の段差部に設けられた配線台３６と部品取付体ピース３１との隙間に挿入された図外の配線が当該隙間より側方に抜け出ないように配線を支持するものである。ピース側係合部４２は配線押え部４１間に位置する部品取付体ピース３１の側部より裏側に突出した平面視屈曲状であって、取外し操作に際する視認性向上のために２色成型法による有色又は色付けによる色彩を備える。ピース側係合部４２の設けられた部分は部品取付体ピース３１に切り込まれたスリットにより弾性を有する。部品取付体基部３０の裏面と部品取付体ピース３１の裏面とは互いに連なった平坦面を形成する。
【００１２】
ケース体５０は第１ケース５１と第２ケース５２及び第３ケース５３を備える。第１・第２・第３ケース５１〜５３はケース体５０の外部からの収納部品に対する透視性を有する合成樹脂により形成される。第１・第２ケース５１；５２を互いに合掌状に組合された内部空間には収納部品たるプリント基板のような回路基板にコネクタ５４や図外のＣＰＵ及びＲＯＭ並びにＲＡＭ更に抵抗やコンデンサ等の電気部品を実装した主制御装置１８を格納する。主制御装置１８が第１・第２ケースの内部空間に格納される際、主制御装置１８の回路基板に実装されたコネクタ５４は第１ケース５１に形成された貫通孔を経由して外部に突出する。第１ケース５１に組合された第２ケース５２の裏面が第３ケース５３に重ね合わせて上方から下方に横ずれさせられることにより、第２ケース５２の第２ケース側係合部５５と第３ケース５３の第３ケース側係合部５６とが嵌合する。第１ケース５１の固定ブロック５７に格納された図外の固定ねじが第１ケース５１の外側よりドライバのような工具で操作されることにより第３ケース５３の固定ブロック５８（図２参照）に締結される。これによって、第１・第２・第３ケース５１〜５３からなるケース体５０が形成される。
【００１３】
図２を参照し、ケース体５０の裏面構造について説明する。第３ケース５３は裏面に上部左右のケース体側フック部６０、下部のケース体側フック部６１、係合突起６２、複数のガイド突起６３を備える。上部左右のケース体側フック部６０は第３ケース体５３の裏面に形成された開口部６４の上縁及び右側縁に連なり、下側にクランク状に突出される。ケース体側フック部６１は第３ケース体５３の裏面に形成された開口部６５の右側縁により形成される。第１・第２ケース５１；５２が互いに組合されることによって、開口部６４；６５は第２ケース５２で閉鎖される。
【００１４】
次に、主制御装置１８が格納されたケース体５０の部品取付体２２への取付方について説明する。この取付は機械的に行うことも可能であるが、作業者が組付ける場合を例として説明する。作業者がケース体５０を手で持ち、ケース体５０の裏面を部品取付体の裏面に向き合わせ、ケース体側フック部６０の位置を部品取付体側フック部３２の左側にずらし、ケース体５０を部品取付体２２に近づける。このケース体５０が部品取付体２２に近づけられる過程において、ガイド突起６３がガイド溝３５に嵌合し、係合突起６２が部品取付体２２の裏面より前側に窪む係合レバー３４の凹部３４ａに非接触に取込まれる。その後、ケース体５０の裏面が部品取付体２２の裏面に接触する。この接触に際し、部品取付側フック部３２；３３がケース体５０の開口部６４；６５に取込まれ、ピース側係合部４２がケース体５０の裏面で押され、ピース側係合部４２周りが前方に撓む。
【００１５】
その状態において、ケース体５０が左側より右側に横移動されると、ケース体側フック部６０が部品取付体側フック部３２に嵌合し、ケース体５０は横移動（摺動）可能であるが部品取付体２２より抜けないようになる。更なるケース体５０の右方への横移動が進行すると、係合突起６２が係合レバーの凹部３４ａから凹部３４ａに連なる斜面部３４ｂを前側に押し、係合レバー３４が裏側より前側へ撓む。引き続くケース体５０の右方への横移動の進行に伴い、係合突起６２が斜面部３４ｂを摺動する途中において、ケース体側フック部６１が部品取付体側フック部３３に嵌合する。係合突起６２が斜面部３４ｂを越えて斜面部３４ｂに連なる平坦状の中間部３４ｃを経由して係合孔部４０に嵌合される一方、ピース側係合部４２が第３ケース側係合部５６の裏面左縁部より外れて下側の第３ケース側係合部５６の外面を抱き持つように第３ケース側係合部５６と嵌合する。
【００１６】
よって、係合孔部４０と係合突起６２とがケース体５０の横移動方向たる摺動方向前端側に配置された摺動不能係合部Ａを形成し、ピース側係合部４２と第３ケース側係合部５６とが当該ケース体５０の横移動方向の後端側に配置された摺動不能係合部Ａを形成する。これらの摺動不能係合部Ａにより、ケース体５０は横移動不能に部品取付体２２に取付けられる。又、ケース体側フック部６０；６１と部品取付体側フック部３２；３３とが摺動可能係合部Ｂを形成する。この摺動可能係合部Ｂにより、ケース体５０は部品取付体２２の裏面に前後方向へ移動不能に取付けられる。摺動可能係合部Ｂは、複数のケース体側フック部６０；６１と複数の部品取付体３２；３３とで摺り合わせ距離を短くした形態であるので、ケース体５０の部品取付体２２への取付容易を向上することができる。
【００１７】
結果として、複数の摺動不能係合部Ａと複数の摺動可能係合部Ｂとの共働により、ケース体５０は部品取付体２２にがたつくことなく固定される。つまり、摺動可能係合部Ｂによりケース体５０が部品取付体２２の裏面に接触した状態で部品取付体５０より裏側に引抜かれることはない。その状態下において、複数の摺動不能係合部Ａによりケース体５０が部品取付体２２の裏面に沿い回転することがなく、しかも横移動することはないからである。又、複数の摺動不能係合部Ａがケース体５０の摺動方向前側と後側とに分離配置されたので、複数の摺動不能係合部Ａ間距離が大きくなっており、部品取付体２２の固定したケース体５０に対する上記姿勢保持機能は一層高いものとなる。
【００１８】
前後方向及び横方向へ移動不能に取付けられたケース体５０は部品取付体２２より取外す場合について説明する。作業者が係合レバー３４及びピース側係合部４２を前側に押すことにより、係合孔部４０と係合突起６２との嵌合が解除されると共に、ピース側係合部４２と第３ケース側係合部５６との嵌合が解除される。上記係合レバー３４及びピース側係合部４２を押す場合に、本実施形態によれば、係合レバー３４及びピース側係合部４２が彩られているので、作業者が取外操作部である係合レバー３４及びピース側係合部４２を適切かつ容易に認識することができる。係合レバー３４及びピース側係合部４２の係合が解除された状態のまま、ケース体５０を右側より左側に横移動すると、部品取付体側フック部３２；３３とケース体側フック部６０；６１との嵌合が解除され、ケース体５０は裏側に取外せる。
【００１９】
実施形態の構造によれば、ケース体５０を第１〜第３ケース５１〜５３で形成し、第３ケース５３に設けられた開口部６４；６５を第２ケース５２で塞ぎ、第２ケース５２に設けられた図外の孔及び止ねじ等を第３ケース５３で塞いだので、第３ケース５３の係合突起６２を係合孔に代え、係合レバー３４の係合孔部４０を係合突起に代えたとしても、ピアノ線のような不正操作部材でケース体５０の内部の収納部品たる主制御装置１８を不正操作するような不正行為を同様に防止できる。係合孔部４０の貫通孔は係合凹部でもよい。又、ピース側係合部４２に係合孔部又は係合凹部を形成し、第３ケース側係合部５６に係合突起を形成してもよい。
【００２０】
部品取付体ピース３１と配線押え部４１とを別部品とし、これら別部品を互いに止ねじで固定することにより部品取付体２２を形成したが、配線のし易さの観点から、部品取付体ピース３１と配線押え部４１とを単一体に形成してもよい。又、部品取付体基部３０から配線台３６及び配線台３６周りの段差部を省略し、かつ部品取付体ピース３１から配線押え部４１を省略し、そして、当該部品取付体基部３０と当該部品取付体ピース３１とを単一体に形成してもよい。
【００２１】
収納部品が有価交換に影響しない表示灯制御装置１６や効果音制御装置１７、その他部品であれば、前記不正防止は不要となるので、図２の第３ケース５３に設けられた第３ケース側係合部５６、固定ブロック５８、ケース体側フック部６０；６１、係合突起６２、ガイド突起６３、開口部６４；６５等を第２ケース５２に設け、当該第２ケース５２と第１ケース５１とでケース体を形成し、このケース体を部品取付体２２に取付けてもよい。
【００２２】
現在の市場価格においては、ＰＣ樹脂がＡＢＳ樹脂よりも高価であるため、高価なＰＣ樹脂で小部品たる部品取付体ピース３１を形成し、安価なＡＢＳ樹脂で大部品たる部品取付体基部３０を形成したので、部品取付体２２をＰＣ樹脂で形成する場合に比べて、部品取付体２２のコストダウンが図れる。
【００２３】
摺動不能係合部Ａ、摺動不能係合部Ｂ、部品取付体２２又はケース体５０に設けられたばね及び部品取付体２２とケース体５０との間に挿入するゴムのような弾性体の１つ又は２つ以上によって、ケース体５０とこれを支持する部品取付体２２との間で部品取付体２２及びケース体５０相互に突っ張るようなばね力を与えれば、部品取付体２２に対するケース体５０の前後方向のがたを無くすことができる。
【図面の簡単な説明】
【図１】  本発明の一実施形態を示す裏側からの分解斜視図。
【図２】  同実施形態のケース体の裏側からの斜視図。
【図３】  同実施形態のパチンコ機の裏面図。
【図４】  従来例を示す側面図及び正面図。
【符号の説明】
２２  部品取付体
３２  部品取付体側フック部
３３  部品取付体側フック部
４０  係合孔部
４２  ピース側係合部
５０  ケース体
５６  第３ケース側係合部
６０  ケース体側フック部
６１  ケース体側フック部
６２  係合突起
Ａ  摺動不能係合部
Ｂ  摺動可能係合部
【図１】
0003939494.tif 000002
【図２】
0003939494.tif 000003
【図３】
0003939494.tif 000004
【図４】
0003939494.tif 000005